(57)【要約】【課題】デザインを選択することができ、費用を抑えることができる検診台を提供する。【解決手段】第一載置部１４に対する第二載置部１５および第三載置部１６の角度を変化させる各リンク部材１７，１８と、第一載置部１４と第二載置部１５とが連結された第一関節軸部１９、および第二載置部１５と第三載置部１６とが連結された第二関節軸部２０を、各リンク部材１７，１８を介して稼働させるシリンダー２１とから検診台１０を構成し、第三載置部１６が第一載置部１４に対して下方に傾斜した昇降型１と、第三載置部１６が第一載置部１４とほぼ同一平面上に配置された経腹型２と、第三載置部１６が第二載置部１５に対して上方に傾斜した経膣型３とに変化させる。【選択図】図６
2015229045.tif 000002
【特許請求の範囲】
【請求項１】
被検診者の下半身が乗せられる第一載置部に連結された第二載置部、および前記第二載置部に連結された第三載置部に、前記被検診者の下肢が乗せられる検診台において、
前記第一載置部に対する前記第二載置部および前記第三載置部の角度を変化させるリンク機構と、
前記第一載置部と前記第二載置部とが連結された第一関節軸部、および前記第二載置部と前記第三載置部とが連結された第二関節軸部を、前記リンク機構を介して稼働させる駆動手段と、
が備えられた、
ことを特徴とする検診台。
【請求項２】
前記第三載置部が前記第一載置部に対して下方に傾斜した第一状態と、
前記第三載置部が前記第一載置部とほぼ同一平面上に配置された第二状態と、
前記第三載置部が前記第二載置部に対して上方に傾斜した第三状態と、
に変形する、
ことを特徴とする請求項１に記載された検診台。
【請求項３】
前記第一関節軸部が稼働することで前記第一状態と前記第二状態とが相互に変化し、
前記第一関節軸部が休止すると共に前記第二関節軸部が稼働することで前記第二状態と前記第三状態とが相互に変化する、
ことを特徴とする請求項２に記載された検診台。
【請求項４】
前記第一載置部および前記第三載置部に連結されたリンク部材が前記リンク機構に含まれ、前記第一載置部側を軸に前記リンク部材が回転する、
ことを特徴とする請求項１から請求項３のいずれか１項に記載された検診台。
【請求項５】
前記駆動手段が前記第一載置部の面に沿う方向に運動して前記リンク部材を稼働させる、
ことを特徴とする請求項１から請求項４のいずれか１項に記載された検診台。
【発明の詳細な説明】
【技術分野】
【０００１】
本発明は、医療の現場において被検診者が載せられる検診台に関するものである。
【背景技術】
【０００２】
従来、医療施設において被検診者が検診される際、被検診者は検診台に載せられる。この様な検診台は、例えば足を載せる足板が水平に形成されたもの、足板の先端を上方に屈曲可能なもの、歯科用のいわゆるカウンタータイプと呼ばれる脚を載せる部分が下方に屈曲したものなどがある。
【０００３】
足板が水平に形成された検診台は、例えば妊婦検診の場合、被検診者が膝を曲げ、支脚器の上にふくらはぎを載せ、砕石位の姿勢をとる。また、足板の先端を上方に屈曲させる検診台は、足板の先端を支脚器として被検診者の踵を載置可能なため砕石位を安定させることができる。さらに、カウンタータイプの検診台は、脚を載せる部分が下方に屈曲しているため、被検診者の乗降が容易である。
【０００４】
検診台の足板が水平である場合、乗降時に被検診者に負担がかかる。特に、被検診者が妊婦である場合の負担が大きく、砕石位が不安定になる。また、カウンタータイプの場合、脚を載せる部分が下方に屈曲しているため、砕石位の姿勢がとり辛い。
【０００５】
足板の先端を上方に屈曲可能なものの場合、例えば下記特許文献１に記載されているものがある。この検診台は、脚が載せられる脚載せ部が表側と裏側の両側に形成され、脚載せ部が反転することで、載せられる被検診者の姿勢に応じて形が変形する。すなわち、表側はフラット部が形成されて脚が伸びた状態で載せられ、一方、裏側はフラット部よりも傾斜した足裏受け部が形成され、膝が曲がった状態で脚の裏が載せられる。
【先行技術文献】
【特許文献】
【０００６】
【特許文献１】特開２００４−１９４９３７号公報
【発明の概要】
【発明が解決しようとする課題】
【０００７】
しかし、上記した検診台は、検診時に脚載せ部を上昇させて水平な状態にするための駆動機構や、脚載せ部を反転させるための駆動機構などが合わさると構造が複雑になり、検診台のデザインが制限される場合や、生産に高額の費用を要する場合がある。
【０００８】
本発明は、上記の実情に鑑みて提案されたものである。すなわち、デザインを選択することができ、費用を抑えることができる検診台の提供を目的とする。
【課題を解決するための手段】
【０００９】
上記目的を達成するために、本発明に係る検診台は、被検診者の下半身が載せられる第一載置部に連結された第二載置部、および前記第二載置部に連結された第三載置部に、前記被検診者の下肢が載せられる検診台において、前記第一載置部に対する前記第二載置部および前記第三載置部の角度を変化させるリンク機構と、前記第一載置部と前記第二載置部とが連結された第一関節軸部、および前記第二載置部と前記第三載置部とが連結された第二関節軸部を、前記リンク機構を介して稼働させる駆動手段と、が備えられたことを特徴とする。
【００１０】
本発明に係る検診台は、前記第三載置部が前記第一載置部に対して下方に傾斜した第一状態と、前記第三載置部が前記第一載置部とほぼ同一平面上に配置された第二状態と、前記第三載置部が前記第二載置部に対して上方に傾斜した第三状態と、に変形することを特徴とする。
【００１１】
本発明に係る検診台は、前記第一関節軸部が稼働することで前記第一状態と前記第二状態とが相互に変化し、前記第一関節軸部が休止すると共に前記第二関節軸部が稼働することで前記第二状態と前記第三状態とが相互に変化することを特徴とする。
【００１２】
本発明に係る検診台は、前記第一載置部および前記第三載置部に連結されたリンク部材が前記リンク機構に含まれ、前記第一載置部側を軸に前記リンク部材が回転することを特徴とする。
【００１３】
本発明に係る検診台は、前記駆動手段が前記第一載置部の面に沿う方向に運動して前記リンク部材を稼働させることを特徴とする。
【発明の効果】
【００１４】
本発明に係る検診台は上記した構成である。この構成によれば、第一関節軸部および第二関節軸部を稼働させる駆動源が一つの駆動手段であり、この駆動手段が駆動することで、リンク機構を介して第一載置部に対する第二載置部の角度、および第二載置部に対する第三載置部の角度が変化する。すなわち、一つの駆動手段で二つの各関節軸部が稼働するため、構成が簡便である。したがって、デザインを選択することができ、費用を抑えることができる。また、乗降時および検診時に応じて変化し、乗降時および検診時に適した姿勢を自然に被検診者に促すことができる。
【図面の簡単な説明】
【００１５】
【図１】本発明の実施形態に係る検診台の第二状態の外観が示された外観平面図である。
【図２】本発明の実施形態に係る検診台の第二状態の外観が示された外観側面図である。
【図３】本発明の実施形態に係る検診台の第二状態の外観が示された外観斜視図である。
【図４】本発明の実施形態に係る検診台の構造が示された斜視図であり、（ａ）が第一状態の構造斜視図、（ｂ）が第二状態の構造斜視図、（ｃ）が第三状態の構造斜視図である。
【図５】本発明の実施形態に係る検診台の構造が示された側面図であり、（ａ）が第一状態の構造側面図、（ｂ）が第二状態の構造側面図、（ｃ）が第三状態の構造側面図である。
【図６】本発明の実施形態に係る検診台のリンク機構が示され、（ａ）が第一状態の要部側面図、（ｂ）が第二状態の要部側面図、（ｃ）が第三状態の要部側面図である。
【発明を実施するための形態】
【００１６】
以下に、本発明の実施形態に係る検診台を図面に基づいて説明する。図１、図２および図３は、本実施形態に係る検診台１０の外観が示され、図４および図５は、本実施形態に係る検診台１０の構造が示されている。なお、以下の説明では、検診台１０のうち、背もたれ部１２がある方を後方とし、下肢載置部１４がある方を前方とし、設置面からの高さ方向を基準として上方および下方とする（図２参照）。
【００１７】
図１、図２、図３、図４および図５に示されているとおり、検診台１０は次の各部から構成されている。すなわち、検診台１０は、被検診者（図示省略）の腰が載せられる座板部１１と、この座板部１１の後方に連結されて被検診者の胴体や頭部が載せられる背もたれ部１２と、座板部１１の前方に連結されて被検診者の下肢が載せられる下肢載置部１３と、各部を支持する基台４とから構成されている。下肢載置部１３は、被検診者の下肢が片方ずつ載せられるため、対で構成され、座板部１１の前方に連結された第一載置部１４と、この第一載置部１４の前方に連結された第二載置部１５と、この第二載置部１５の前方に連結された第三載置部１６とから構成されている。概ね、第一載置部１４は被検診者の大腿部が載せられ、第二載置部１５および第三載置部１６は、被検診者の下腿部が載せられる。
【００１８】
図４および図５に示されているとおり、検診台１０は、第一状態としての乗降型１、第二状態としての経腹型２、および第三状態としての経膣型３に変形する。
【００１９】
被検診者が検診台１０に乗降するポジション（乗降型１）では、被検診者が乗り降りし易いように、検診台１０の全体が設置面に近い位置に配置されている。下肢載置部１３は、互いに近接して揃えられ、第二載置部１５と第三載置部１６とが、同一平面に配置されると共に第一載置部１４に対して下方に向けて傾斜した状態である。背もたれ部１２は起立している。
【００２０】
外診及び経腹エコーを行うポジション（経腹型２）は、検診台１０の全体が乗降型１のときよりも上昇した位置に配置されている。被検診者を仰向けに横たわらせるために、下肢載置部１３は、第二載置部１５および第三載置部１６が、第一載置部１４とほぼ同一平面上に配置された状態であり、設置面に対してほぼ水平ある。背もたれ部１２は後方側に傾倒している。
【００２１】
内診及び経膣エコーを行うポジション（経膣型３）では、被検診者に砕石位の姿勢をとらせるために、下肢載置部１３は、互いに離反し、第二載置部１５が第一載置部１４とほぼ同一平面上に配置されると共に、第三載置部１６が第二載置部１５に対して上方に向けて傾斜した状態である。被検診者は膝が曲がった状態で踵が第三載置部１６に載せられ、下肢（股）が広げられる。
【００２２】
図６は、本実施形態に係る検診台１０のリンク機構が示されている。図６に示されているとおり、検診台１０は、各型１，２，３に変形する際、リンク機構が稼働する。リンク機構は下肢載置部１３に備えられ、第一載置部１４に対する第二載置部１５および第三載置部１６の角度を変化させる。詳説すれば、リンク機構は、第一載置部１４を固定リンクとし、第一載置部１４と第三載置部１６とに連結されたリンク部材としての原動リンク部材１７および連動リンク部材１８と、リンク機構を稼働させる駆動手段としてのシリンダー２１とから構成されている。リンク機構では、第一載置部１４と第二載置部１５とが連結されて第一関節軸部１９が形成され、第二載置部１５と第三載置部１６とが連結されて第二関節軸部２０が形成されている。
【００２３】
第一載置部１４は、前端側に、原動リンク軸部２２と、第二載置部軸部２３（第一関節軸部１９）と、連動リンク軸部２４とが形成され、下面側にシリンダー２１が取り付けられている。シリンダー２１は、第一載置部１４の下面に沿う方向（前後方）にピストンが運動する。ピストンは原動リンク部材１７に連結されている。第二載置部１５は、後方端に第一関節軸部１９が形成され、前方端に第二関節軸部２０が形成されている。第一関節軸部１９は、第二載置部１５の後方端が第一載置部１４の第二載置部軸部２３に連結されたことで形成され、一方、第二関節軸部２０は、第二載置部１５の前方端に第三載置部１６の後方端が連結されたことで形成されている。第二関節軸部２０は、第二載置部１５の前方端に形成された長穴２５に沿って軸が移動する。第三載置部１６は、後方端が第二載置部１５の前方端に連結され、前方側に連動リンク部材１８および原動リンク部材１７が連結されている。第三載置部１６の前方側のうち、前方端に連動リンク部材１８が連結され、前方端よりも後方の近傍に原動リンク部材１７が連結されている。
【００２４】
原動リンク部材１７は、第二載置部１５および第三載置部１６の長さ方向に沿って長手に形成されている。原動リンク部材１７は、後方端が第一載置部１４の原動リンク軸部２２に連結され、前方端が第三載置部１６の前方側に連結されている。原動リンク部材１７の後方側のうち、後方端よりも下方の近傍にシリンダー２１が連結されている。
【００２５】
連動リンク部材１８は、原動リンク部材１７と同様に、第二載置部１５および第三載置部１６の長さ方向に沿って長手に形成されている。連動リンク部材１８は、後方端が第一載置部１４の連動リンク軸部２４に連結され、前方端が第三載置部１６の前方端に連結されている。
【００２６】
上記のとおり、本実施形態にかかる検診台１０が構成されている。
【００２７】
次に、本実施形態に係る検診台１０の作用を説明する。
【００２８】
図６に示されているとおり、乗降型１において、シリンダー２１が駆動し、シリンダー２１に対してピストンが前方に押されることにより、原動リンク部材１７がピストンに押されて原動リンク軸部２２を軸に回転する。これに伴い、第三載置部１６は、原動リンク部材１７および連動リンク部材１８によって回転し、前方端が上昇する。第一関節軸部１９に軸支された第二載置部１５は、第二関節軸部２０、および第二載置部１５の長孔２５に連結されているため、第二関節軸部２０の動きに伴い、第一関節軸部１９を軸に回転する。その際、第三載置部１６は、原動リンク部材１７および連動リンク部材１８により、ほぼ第一関節軸部１９を中心に回転するように配置され、かつ、第二載置部１５および第三載置部１６が、ほぼ同一平面になるように、第二関節軸部２０が配置される。このようにして、第二載置部１５および第三載置部１６が、第一載置部１４とほぼ同一平面上に配置され、設置面に対してほぼ水平になって経腹型２に変形する。
【００２９】
乗降型１から経腹型２への変形に伴って、検診台１０が上昇すると共に背もたれ部１２が後方に傾倒し、被検診者１０の姿勢が座位から仰向けに、自然に変化する（図４参照）。
【００３０】
図６に示されているとおり、経腹型２において、シリンダー２１がさらに駆動し、シリンダー２１に対してピストンがさらに前方に押されることにより、原動リンク部材１７がピストンに押されて原動リンク軸部２２を軸にさらに回転する。これに伴い、第三載置部１６は、原動リンク部材１７および連動リンク部材１８によって回転し、前方端がさらに上昇する。第一関節軸部１９に軸支された第二載置部１５は、第二関節軸部２０、および第二載置部１５の長孔２５に連結されているため、第二関節軸部２０の動きに伴い、第一関節軸部１９を軸に回転する。その際、第三載置部１６は、原動リンク部材１７および連動リンク部材１８により、ほぼ第二関節軸部２０を中心に回転し、かつ、第二関節軸部２０が、ほぼ水平に保持するように配置される。また、その際、第二関節軸部２０は、第二載置部１５の長孔２５に沿って前後に移動する。すなわち、第一関節軸部１９に軸支された第二載置部１５は、第二関節軸部２０の位置によって動きが決定されるため、この間、第一載置部１４と共に、ほぼ水平な状態が保持される。このようにして、第二載置部１５が、第一載置部１４とほぼ同一平面の状態に配置されたまま維持され、第二載置部１５に対して第三載置部１６が上方に傾斜して経膣型３に変形する。
【００３１】
経腹型２から経膣型３への変形に伴って、検診台１０がさらに上昇すると共に各下肢載置部１３が互いに離反し、被検診者の姿勢が仰向けから砕石位に、自然に変化する。
【００３２】
上記と逆の手順を経ることで、経膣型３から、経腹型２を経て乗降型１に変形する（図４参照）。
【００３３】
次に、本発明の実施形態に係る検診台１０の効果を説明する。
【００３４】
上記したとおり、本実施形態に係る検診台１０によれば、リンク機構は、第一載置部１４を固定リンクとし、第一載置部１４と第三載置部１６とに連結されたリンク部材としての原動リンク部材１７および連動リンク部材１８と、リンク機構を稼働させるシリンダー２１とから構成されている。リンク機構では、第一載置部１４と第二載置部１５とが連結されて第一関節軸部１９が形成され、第二載置部１５と第三載置部１６とが連結されて第二関節軸部２０が形成されている。
【００３５】
この構成によれば、原動リンク部材１７は、後端側がシリンダー２１に押されることで前方端が上昇し、これに追随して第三載置部１６の前方端が上昇する。乗降型１から経腹型２への変形においては、第二載置部１５および第三載置部１６が、第一載置部１４とほぼ同一平面上に配置され、設置面に対してほぼ水平になる。経腹型２から経膣型３への変形においては、第二載置部１５が、第一載置部１４とほぼ同一平面の状態に配置されたまま維持され、第二載置部１５に対して第三載置部１６が上方に傾斜する。
【００３６】
すなわち、第一関節軸部１９および第二関節軸部２０を稼働させる駆動源が一つのシリンダー２１であり、このシリンダー２１が駆動することで、各リンク部材１７，１８を介して第一載置部１４に対する第二載置部１５の角度、および第二載置部１５に対する第三載置部１６の角度が変化する。したがって、一つのシリンダー２１で二つの各関節軸部１９，２０が稼働するため、構成が簡便である。また、デザインを選択することができ、費用を抑えることができる。さらに、乗降時および検診時に応じて、乗降型１、経腹型２、経膣型３にそれぞれ変化し、乗降時および検診時に適した姿勢を被検診者に自然に促すことができる。
【００３７】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、被検診者が妊婦である場合、精神的な圧迫感がある機械式の機構は懸念されるため、駆動手段を手動式にしてもよい。
【符号の説明】
【００３８】
１                  乗降型（第一状態）
２                  経腹型（第二状態）
３                  経膣型（第三状態）
４                  基台
１０                検診台
１１                座板部
１２                背もたれ部
１３                下肢載置部
１４                第一載置部
１５                第二載置部
１６                第三載置部
１７                原動リンク部材（リンク部材）
１８                連動リンク部材（リンク部材）
１９                第一関節軸部
２０                第二関節軸部
２１                シリンダー（駆動手段）
２２                原動リンク軸部
２３                第二載置部軸部
２４                連動リンク軸部
２５                長孔
【図１】
2015229045.tif 000003
【図２】
2015229045.tif 000004
【図３】
2015229045.tif 000005
【図４】
2015229045.tif 000006
【図５】
2015229045.tif 000007
【図６】
2015229045.tif 000008